(57)【要約】【課題】  既に記録された音声情報と新たに音声情報とを組み合わせて伝達する。【解決手段】  音声情報入出力部４０を介して入力された音声情報と、記憶部５２に記憶された音声情報とを合成処理部５３にて合成し、記憶部５２に記憶しておく。その後、音声情報再生時に、記憶部５２に記憶された合成音声情報を音声情報入出力部４０を介して出力する。【選択図】図４
2006137033.tif 000002
【特許請求の範囲】
【請求項１】
音声情報の記録及び再生が可能な音声情報記録／再生手段を有してなる音声メッセージ伝達シートであって、
前記音声情報記録／再生手段は、個別に入力された複数の音声情報を合成して記録し、当該音声情報の再生時に、合成して記録された音声情報を出力する音声メッセージ伝達シート。
【請求項２】
音声情報の記録及び再生が可能な音声情報記録／再生手段を有してなる音声メッセージ伝達シートであって、
前記音声情報記録／再生手段は、個別に入力された複数の音声情報を個別に記録し、当該音声情報の再生時に、個別に記録された音声情報を同時に出力する音声メッセージ伝達シート。
【発明の詳細な説明】
【技術分野】
【０００１】
本発明は、音声情報の記録及び再生が可能な音声メッセージ伝達シートに関する。
【背景技術】
【０００２】
従来より、ダイレクトメールやグリーティングカード等の送付物においては、発送元において、発送される送付物が作成されるとともに送付物の発送先が指定され、その後、作成された送付物が指定された発送先に送付されている。このように作成、発送される送付物は、発送元から発送先に通知したい情報が掲載された印刷物が封筒に封入されて構成されるものや、発送元から発送先に通知したい情報がはがき等のシートに印刷されて構成されるもの等がある。
【０００３】
送付物の発送先においては、送付されてきた送付物が受け取られた後、送付物に印刷された情報が閲覧されることにより、送付物の発送元にて通知したい情報が認識されることになる。
【０００４】
ところが、このように、送付物の発送元にて発送先に通知したい情報が印刷された送付物が発送元から送付され、送付物の発送先において送付されてきた送付物に印刷された情報が閲覧されることにより、送付物の発送元にて通知したい情報が発送先に伝達されるものにおいては、送付物の発送元における所望のメッセージを、視覚的にしか発送先に伝達することができず、それにより、伝達可能な情報の種類が限定されてしまう。
【０００５】
そこで、音声情報の記録及び再生が可能に構成された音声カードが考えられている（例えば、特許文献１，２参照。）。
【０００６】
このような音声カードにおいては、音声情報を入力するための音声入力手段と、音声入力手段を介して入力された音声情報が記録される記録手段と、記録手段に記録された音声情報を出力するための音声出力手段と、音声入力手段を介して音声情報を入力する際に押下される録音ボタンと、音声出力手段を介して音声情報を出力する際に押下される再生ボタンと、これらの動作を制御するための制御手段とが設けられており、録音ボタンを押下して音声情報を記録し、再生ボタンを押下することにより音声情報が再生されることになる。
【０００７】
ここで、このように音声情報を記録可能に構成された音声カードに対する音声情報の記録は、音声入力手段を介して入力された音声情報を、記録手段に記録された音声情報に上書きするように行われる。そのため、記録手段に音声情報が記録された後に録音ボタンが誤って押下された場合、既に記録手段に記録されている音声情報が消去されることになる。そこで、上述した特許文献１には、録音ボタンを容易に切り離すことができるような構成としておき、音声情報の録音後に録音ボタンを切り離すことにより、録音ボタンの誤操作によって音声情報が消去されてしまうことを回避する技術が記載されている。また、上述した特許文献２に記載された音声カードおいては、音声情報の記録後に再生ボタンと録音ボタンを同時に押下すると、その後の音声情報の記録を禁止するような制御が行われ、それにより、録音ボタンの誤操作によって音声情報が消去されてしまうことを回避することができる構成となっている。
【特許文献１】特公平３−４５４３３号公報
【特許文献２】特許第２８８９１５１号明細書
【発明の開示】
【発明が解決しようとする課題】
【０００８】
しかしながら、上述したような従来のものにおいては、音声情報の録音後に、録音ボタンを切り離したり再生ボタンと録音ボタンを同時に押下したりすることにより、音声情報が記録された後に録音ボタンが誤って押下された場合に既に記録手段に記録されている音声情報が消去されてしまうことを回避することができるものの、録音された音声情報を消去せずに新たに音声情報を記録することができない。そのため、例えば、ＢＧＭ等の音声情報を予め記録しておき、その後、このＢＧＭ等の音声情報を背景音声として声による音声情報を記録する場合、声による音声情報を記録する際に既に記録されているＢＧＭ等の音声情報が消去されてしまうことになり、既に記録されたＢＧＭ等の音声情報を背景音声として伝達することができないという問題点がある。
【０００９】
本発明は、上述したような従来の技術が有する問題点に鑑みてなされたものであって、既に記録された音声情報と新たに音声情報とを組み合わせて伝達することができる音声メッセージ伝達シートを提供することを目的とする。
【課題を解決するための手段】
【００１０】
上記目的を達成するために本発明は、
音声情報の記録及び再生が可能な音声情報記録／再生手段を有してなる音声メッセージ伝達シートであって、
前記音声情報記録／再生手段は、個別に入力された複数の音声情報を合成して記録し、当該音声情報の再生時に、合成して記録された音声情報を出力する。
【００１１】
また、音声情報の記録及び再生が可能な音声情報記録／再生手段を有してなる音声メッセージ伝達シートであって、
前記音声情報記録／再生手段は、個別に入力された複数の音声情報を個別に記録し、当該音声情報の再生時に、個別に記録された音声情報を同時に出力する。
【００１２】
上記のように構成された本発明においては、音声情報の記録及び再生が可能な音声情報記録／再生手段に複数の音声情報が個別に入力されると、個別に入力された音声情報が音声情報記録／再生手段に合成して記録され、その後、音声情報の再生時に、合成して記録された音声情報が音声情報記録／再生手段から出力される。または、個別に入力された音声情報が音声情報記録／再生手段に個別に記録され、その後、音声情報の再生時に、個別に記録された音声情報が音声情報記録／再生手段から同時に出力される。
【発明の効果】
【００１３】
以上説明したように本発明においては、音声情報の記録及び再生が可能な音声情報記録／再生手段に複数の音声情報が個別に入力されると、個別に入力された音声情報が音声情報記録／再生手段に合成して記録され、その後、音声情報の再生時に、合成して記録された音声情報が音声情報記録／再生手段から出力されたり、あるいは、個別に入力された音声情報が音声情報記録／再生手段に個別に記録され、その後、音声情報の再生時に、個別に記録された音声情報が音声情報記録／再生手段から同時に出力されたりする構成としたため、既に記録された音声情報と新たに音声情報とを組み合わせて伝達することができる。
【発明を実施するための最良の形態】
【００１４】
以下に、本発明の実施の形態について図面を参照して説明する。
【００１５】
図１は、本発明の音声メッセージ伝達シートの実施の一形態を示す図であり、（ａ）は表面から見た図、（ｂ）は内部構造を示す図、（ｃ）は（ａ）に示したＡ−Ａ’断面図である。また、図２は、図１に示した音声メッセージ伝達シート１の積層状態を示す図である。
【００１６】
本形態は図１及び図２に示すように、音声情報の記録及び再生が可能なシート状の音声情報記録／再生部３０が、紙基材等の柔軟性を有し、かつ薄型の基材からなる２枚の支持シート２０ａ，２０ｂに挟まれ、また、音声情報記録／再生部３０が挟まれた支持シート２０ａ，２０ｂが、その外形が支持シート２０ａ，２０ｂと同一形状であって、紙基材等の柔軟性を有し、かつ薄型の基材からなる２枚の表面シート１０ａ，１０ｂに挟まれて構成されている。なお、表面シート１０ａ，１０ｂ、支持シート２０ａ，２０ｂ及び音声情報記録／再生部３０は、支持シート２０ａ，２０ｂの表裏に施された粘着加工によって互いに接着されている。この粘着加工は、支持シート２０ａ，２０ｂの表裏に両面テープを貼付することや、ホットメルト型接着剤を塗布すること等によって行うことが考えられる。
【００１７】
また、音声情報記録／再生部３０は、ピエゾ素子（不図示）や振動板（不図示）からシート状に構成されて音声情報を入出力するための音声情報入出力部４０と、音声情報入出力部４０を介して入力された音声情報が記録されるメモリ領域を具備する薄型のＩＣチップ３４やコンデンサ、抵抗等の回路素子、並びにスイッチ３３ａ，３３ｂが搭載された音声基板３２と、音声基板３２に接続され、音声基板３２に電源を供給するための柔軟性を有してなるペーパー電池３１とから構成されており、さらに、音声基板３２には、外部からＩＣチップ３４に音声情報を入力したり、ＩＣチップ３４に記録された音声情報を外部に出力したりするための接続端子３５が設けられている。これにより、音声情報記録／再生部３０は、シート状に構成されている。ここで、音声基板３２においては、柔軟性を有し、かつ薄型の繊維強化プラスチック（ＦＲＰ）やポリエチレンテレフタレート（ＰＥＴ）、ポリイミドあるいはリードフレーム等からなる基板に、異方性導電性接着剤（ＡＣＰ）や異方性導電性フィルム（ＡＣＦ）あるいはワイヤボンディング等によってＩＣチップ３４が接合されている。また、ＩＣチップ３４は、音声情報入出力部４０を介して入力された音声情報をメモリ領域に記録し、また、メモリ領域に記録された音声情報を音声情報入出力部４０を介して出力する制御を行う。また、スイッチ３３ａは、ＩＣチップ３４のメモリ領域に記録された音声情報を音声情報入出力部４０を介して出力する際に操作されるものであり、また、スイッチ３３ｂは、音声情報入出力部４０を介して入力された音声情報をＩＣチップ３４のメモリ領域に記録する際に操作されるものである。
【００１８】
また、支持シート２０ａにおいては、音声情報記録／再生部３０と積層された場合に、ペーパー電池３１、スイッチ３３ａ，３３ｂ、ＩＣチップ３４及び音声情報入出力部４０と対向する領域に穴２１ａ，２２，２３，２４ａがそれぞれ形成されており、また、支持シート２０ｂにおいては、音声情報記録／再生部３０と積層された場合に、ペーパー電池３１及び音声情報入出力部４０と対向する領域に穴２１ｂ，２４ｂがそれぞれ形成されている。
【００１９】
このように、支持シート２０ａの、ペーパー電池３１、スイッチ３３ａ，３３ｂ、ＩＣチップ３４及び音声情報入出力部４０と対向する領域に穴２１ａ，２２，２３，２４ａがそれぞれ形成され、また、支持シート２０ｂの、ペーパー電池３１及び音声情報入出力部４０と対向する領域に穴２１ｂ，２４ｂがそれぞれ形成されることにより、ペーパー電池３１、スイッチ３３ａ，３３ｂ、ＩＣチップ３４及び音声情報入出力部４０が設けられている領域と他の領域とで厚さの差が小さくなり、それにより、表面シート１０ａ，１０ｂの平坦性が向上し、表面シート１０ａ，１０ｂ上に情報を容易に印刷することができるようになる。
【００２０】
図３は、図１及び図２に示した支持シート２０ａ，２０ｂと音声情報記録／再生部３０とを積層した状態を示す図であり、（ａ）は支持シート２０ａと音声情報記録／再生部３０とを積層した状態を示す図、（ｂ）は支持シート２０ｂと音声情報記録／再生部３０とを積層した状態を示す図である。
【００２１】
図３（ａ）に示すように、支持シート２０ａのペーパー電池３１と対向する領域に形成された穴２１ａはペーパー電池３１よりも小さく、また、スイッチ３３ａ，３３ｂと対向する領域に形成された穴２２はスイッチ３３ａ，３３ｂを含むように、また、ＩＣチップ３４と対向する領域に形成された穴２３はＩＣチップ３４よりも大きく、また、音声情報入出力部４０と対向する領域に形成された穴２４ａは音声情報入出力部４０よりも大きくなっている。
【００２２】
また、図３（ｂ）に示すように、支持シート２０ｂのペーパー電池３１と対向する領域に形成された穴２１ｂはペーパー電池３１よりも小さく、また、音声情報入出力部４０と対向する領域に形成された穴２４ｂは音声情報入出力部４０よりも小さくなっている。
【００２３】
これにより、音声情報記録／再生部３０は、２枚の支持シート２０ａ，２０ｂによって一部のみが表裏から挟み込まれるように積層され、支持シート２０ａ，２０ｂの表裏に施された粘着加工によって固定されている。
【００２４】
また、２枚の表面シート１０ａ，１０ｂのうち、支持シート２０ａの穴２２，２３を介してスイッチ３３ａ，３３ｂ及びＩＣチップ３４と対向する側の表面シート１０ａにおいては、この音声メッセージ伝達シート１を郵送する場合に宛先情報等が印刷される情報表示領域２が設けられているとともに、支持シート２０ａの穴２２を介してスイッチ３３ａと対向する領域にはスイッチ３３ａを操作するための再生ボタン３ａを示す印刷が施され、また、支持シート２０ａの穴２２を介してスイッチ３３ｂと対向する領域にはスイッチ３３ｂを操作するための録音ボタン３ｂを示す印刷が施され、また、支持シート２０ａの穴２４ａを介して音声情報入出力部４０と対向する領域には、音声情報入出力部４０から出力された音声を外部に出力するための微細な穴が羅列されてなる音声入出力領域４が形成されている。このように微細な穴が羅列されてなる音声入出力領域４が形成されているため、音声情報入出力部４０が表裏を表面シート１０ａ，１０ｂで覆われた状態であっても、音声情報入出力部４０から出力される音量の低下を補うことができる。なお、音声入出力領域４においては、例えば、レーザ加工によって、０．１ｍｍ径の穴が縦横１．５ｍｍ間隔で形成されている。そのため、抜き加工や針等によって穴を形成する場合と比べてバリが発生せず、その後そのバリによって穴が塞がれてしまうことはない。また、図１においては、情報表示領域２が音声入出力領域４上に設けられていないが、実際は、表面シート１０ａの全面に再生ボタン３ａ及び録音ボタン３ｂを含めて情報が印刷されることになるため、情報表示領域２が音声入出力領域４上に設けられることも考えられる。また、再生ボタン３ａ及び録音ボタン３ｂにおいては、印刷によって表面シート１０ａ上に設けておかず、表面シート１０ａに情報が印刷された後に、スイッチ３３ａ，３３ｂに対向する領域にそれぞれシールを貼付することによって設けることも考えられる。
【００２５】
以下に、上記のように構成された音声メッセージ伝達シート１に対する音声情報の記録、再生処理について複数の実施の形態を例に挙げて説明する。
【００２６】
（第１の実施の形態）
図４は、図１に示した音声メッセージ伝達シート１に対する音声情報の記録、再生処理の第１の実施の形態を実現するための構成を示すブロック図である。
【００２７】
図４に示すように本形態においては、図１に示した音声メッセージ伝達シート１のＩＣチップ３４内に、接続端子３５または音声情報入出力部４０を介して入力された音声情報が記録される記憶部５２と、記憶部５２に記録された音声情報と接続端子３５または音声情報入出力部４０を介して入力された音声情報とを合成する合成処理部５３と、接続端子３５または音声情報入出力部４０を介して音声情報が入力された際に、記憶部５２に音声情報が記録されていない場合は入力された音声情報を記憶部５２に記録し、また、記憶部５２に音声情報が記録されている場合は記憶部５２に記録された音声情報を読み出して合成処理部５３に渡し、合成処理部５３にて合成された音声情報を記憶部５２に記録し、スイッチ３３ａが操作された場合に記憶部５２に記録された音声情報を音声情報入出力部４０を介して出力する制御部５１とが設けられている。
【００２８】
上記のような構成においては、まず、接続端子３５または音声情報入出力部４０を介してＢＧＭ等の背景音声となる音声情報が入力されると、制御部５１における制御によってこの音声情報が記憶部５２に記録される。なお、接続端子３５を介して音声情報が入力される場合は、接続端子３５がケーブル等を介してパソコン等の周辺装置に接続され、この周辺装置から出力された音声情報が記憶部５２に記録されることになる。また、音声情報入出力部４０を介して音声情報が入力される場合は、表面シート１０ａに設けられた録音ボタン３ｂを介してスイッチ３３ｂが操作された状態で音声情報入出力部４０に音声情報が入力されると、この音声情報が記憶部５２に記録されることになる。
【００２９】
その後、表面シート１０ａに設けられた録音ボタン３ｂを介してスイッチ３３ｂが操作された状態で、記憶部５２に記録された音声情報を背景音声として伝達したい声による音声情報が音声情報入出力部４０を介して入力されると、制御部５１における制御によって、記憶部５２に記録された音声情報が読み出され、記憶部５２から読み出された音声情報と音声情報入出力部４０を介して入力された音声情報とが合成処理部５３に渡される。
【００３０】
すると、合成処理部５３においては、記憶部５２から読み出された音声情報と音声情報入出力部４０を介して入力された音声情報とが合成され、制御部５１に出力される。
【００３１】
そして、制御部５１における制御によって、合成処理部５３にて合成された音声情報が記憶部５２に記録される。
【００３２】
その後、表面シート１０ａに設けられた再生ボタン３ａを介してスイッチ３３ａが操作されると、合成処理部５３にて合成されて記憶部５２に記録された音声情報が音声情報入出力部４０を介して出力される。
【００３３】
このように本形態においては、ＢＧＭ等の背景音声となる音声情報と、このＢＧＭ等を背景音声として伝達したい声による音声情報とが個別に入力された場合、個別に入力された２種類の音声情報が合成されて記憶部５２に記録され、その後、記録部５２に合成された状態で記録された音声情報が音声情報入出力部４０を介して出力されるので、ＢＧＭ等を背景音声として声による音声情報を伝達することができる。
【００３４】
（第２の実施の形態）
図５は、図１に示した音声メッセージ伝達シート１に対する音声情報の記録、再生処理の第２の実施の形態を実現するための構成を示すブロック図である。
【００３５】
図５に示すように本形態においては、第１の実施の形態において示したものに対して、ＩＣチップ３４内に設けられた記憶部５２に２つのメモリ領域５２ａ，５２ｂが設けられている点が異なり、制御部５１においては、接続端子３５または音声情報入出力部４０を介して音声情報が入力された際に、記憶部５２のメモリ領域５２ａに音声情報が記録されていない場合は入力された音声情報が記憶部５２のメモリ領域５２ａに記録され、また、記憶部５２のメモリ領域５２ａに音声情報が記録されている場合は記憶部５２のメモリ領域５２ａに記録された音声情報が読み出されて合成処理部５３に渡され、合成処理部５３にて合成された音声情報が記憶部５２のメモリ領域５２ｂに記録され、スイッチ３３ａが操作された場合に記憶部５２のメモリ領域５２ｂに記録された音声情報が音声情報入出力部４０を介して出力される。
【００３６】
上記のような構成においては、まず、接続端子３５または音声情報入出力部４０を介してＢＧＭ等の背景音声となる音声情報が入力されると、制御部５１における制御によってこの音声情報が記憶部５２のメモリ領域５２ａに記録される。なお、接続端子３５を介して音声情報が入力される場合は、接続端子３５がケーブル等を介してパソコン等の周辺装置に接続され、この周辺装置から出力された音声情報が記憶部５２のメモリ領域５２ａに記録されることになる。また、音声情報入出力部４０を介して音声情報が入力される場合は、表面シート１０ａに設けられた録音ボタン３ｂを介してスイッチ３３ｂが操作された状態で音声情報入出力部４０を介して音声情報が入力されると、この音声情報が記憶部５２のメモリ領域５２ａに記録されることになる。
【００３７】
その後、表面シート１０ａに設けられた録音ボタン３ｂを介してスイッチ３３ｂが操作された状態で、記憶部５２のメモリ領域５２ａに記録された音声情報を背景音声として伝達したい声による音声情報が音声情報入出力部４０を介して入力されると、制御部５１における制御によって、記憶部５２のメモリ領域５２ａに記録された音声情報が読み出され、記憶部５２のメモリ領域５２ａから読み出された音声情報と音声情報入出力部４０を介して入力された音声情報とが合成処理部５３に渡される。
【００３８】
すると、合成処理部５３においては、記憶部５２のメモリ領域５２ａから読み出された音声情報と音声情報入出力部４０を介して入力された音声情報とが合成され、制御部５１に出力される。
【００３９】
そして、制御部５１における制御によって、合成処理部５３にて合成された音声情報が記憶部５２のメモリ領域５２ｂに記録される。
【００４０】
その後、表面シート１０ａに設けられた再生ボタン３ａを介してスイッチ３３ａが操作されると、合成処理部５３にて合成されて記憶部５２のメモリ領域５２ｂに記録された音声情報が音声情報入出力部４０を介して出力される。
【００４１】
このように本形態においては、ＢＧＭ等の背景音声となる音声情報が入力された場合にこの音声情報が記憶部５２の１つのメモリ領域５２ａに記録され、その後、このＢＧＭ等を背景音声として伝達したい声による音声情報が入力された場合、記憶部５２のメモリ領域５２ａに記録された音声情報が読み出され、読み出された音声情報と入力された音声情報とが合成されて記憶部５２の他のメモリ領域５２ｂに記録され、その後、記録部５２のメモリ領域５２ｂに合成された状態で記録された音声情報が音声情報入出力部４０を介して出力されるので、ＢＧＭ等を背景音声として声による音声情報を伝達することができ、かつ、ＢＧＭ等の背景音声となる音声情報をメモリ領域５２ａにてそのまま記録しておくことができる。
【００４２】
（第３の実施の形態）
図６は、図１に示した音声メッセージ伝達シート１に対する音声情報の記録、再生処理の第３の実施の形態を実現するための構成を示すブロック図である。
【００４３】
図６に示すように本形態においては、図１に示した音声メッセージ伝達シート１のＩＣチップ３４内に、接続端子３５または音声情報入出力部４０を介して入力された音声情報が記録される記憶部５２と、接続端子３５または音声情報入出力部４０を介して入力された音声情報を記憶部５２に記録し、スイッチ３３ａが操作された場合に記憶部５２に記録された音声情報を音声情報入出力部４０を介して出力する制御部５１とが設けられており、記憶部５２には、接続端子３５または音声情報入出力部４０を介して入力された２種類の音声情報が個別に記録される２つのメモリ領域５２ａ，５２ｂが設けられている。
【００４４】
上記のような構成においては、まず、接続端子３５または音声情報入出力部４０を介してＢＧＭ等の背景音声となる音声情報が入力されると、制御部５１における制御によってこの音声情報が記憶部５２のメモリ領域５２ａに記録される。なお、接続端子３５を介して音声情報が入力される場合は、接続端子３５がケーブル等を介してパソコン等の周辺装置に接続され、この周辺装置から出力された音声情報が記憶部５２のメモリ領域５２ａに記録されることになる。また、音声情報入出力部４０を介して音声情報が入力される場合は、表面シート１０ａに設けられた録音ボタン３ｂを介してスイッチ３３ｂが操作された状態で音声情報入出力部４０を介して音声情報が入力されると、この音声情報が記憶部５２のメモリ領域５２ａに記録されることになる。
【００４５】
その後、表面シート１０ａに設けられた録音ボタン３ｂを介してスイッチ３３ｂが操作された状態で、記憶部５２のメモリ領域５２ａに記録された音声情報を背景音声として伝達したい声による音声情報が音声情報入出力部４０を介して入力されると、制御部５１における制御によってこの音声情報が記憶部５２のメモリ領域５２ｂに記録される。
【００４６】
このようにして記憶部５２のメモリ領域５２ａ，５２ｂに音声情報がそれぞれ記録された後、表面シート１０ａに設けられた再生ボタン３ａを介してスイッチ３３ａが操作されると、制御部５１における制御によって、記憶部５２のメモリ領域５２ａに記録された音声情報とメモリ領域５２ｂに記録された音声情報とが音声情報入出力部４０を介して同時に出力される。
【００４７】
このように本形態においては、ＢＧＭ等の背景音声となる音声情報が入力された場合にこの音声情報が記憶部５２の１つのメモリ領域５２ａに記録され、その後、このＢＧＭ等を背景音声として伝達したい声による音声情報が入力された場合にこの音声情報が記憶部５２の他のメモリ領域５２ｂに記録され、メモリ領域５２ａ，５２ｂに音声情報が記録された後、記録部５２のメモリ領域５２ａに記録された音声情報と記録部５２のメモリ領域５２ｂに記録された音声情報とが音声情報入出力部４０を介して同時に出力されるので、ＢＧＭ等を背景音声として声による音声情報を伝達することができ、かつ、ＢＧＭ等の音声情報をメモリ領域５２ａにてそのまま記録しておくことができる。
【００４８】
ここで、図１に示した音声情報入出力部４０のような薄型スピーカーは、その形状と特性から、高音質を保ちながら小型化することが非常に困難である。そこで、本形態のように、メモリ領域５２ａ，５２ｂにそれぞれ記録された音声情報を１つの音声情報入出力部４０から出力するように構成すれば、メモリ領域５２ａ，５２ｂにそれぞれ記録された互いに異なる音声情報を出力しながらも、高音質を保ちながら小型化を実現することができる。また、第１及び第２の実施の形態に示した合成処理部５３は、専用ＩＣチップまたは別途専用回路が必要となる場合があり、それにより回路部が肥大してしまうが、本形態においては、合成処理部を必要としないため、回路部が肥大してしまうことはない。
【００４９】
このように、本形態においては、音声入出力部の数を減らせるとともに合成処理部が必要なくなるため、よりコンパクトに設計しやすく、薄型に加え小型化を図ることができ、薄型兼小型の音声合成音声メッセージ伝達シートを作成することができる。
【００５０】
なお、本形態においては、記憶部５２に２つのメモリ領域５２ａ，５２ｂを設け、２種類の音声情報を個別に記録しておき、再生時にメモリ領域５２ａ，５２ｂに記録された２種類の音声情報を同時に出力する場合を例に挙げて説明したが、記憶部５２に３つ以上のメモリ領域を設け、そのメモリ領域のそれぞれに異なる音声情報を記録しておき、再生時にメモリ領域にそれぞれ記録された音声情報を同時に出力することも考えられる。
【００５１】
（第４の実施の形態）
図７は、図１に示した音声メッセージ伝達シート１に対する音声情報の記録、再生処理の第４の実施の形態を実現するための構成を示すブロック図である。
【００５２】
図７に示すように本形態においては、第３の実施の形態において示したものに対して、記憶部５２に記録された音声情報を出力するために２つの音声情報入出力部４０ａ，４０ｂが設けられている点が異なり、制御部５１における制御によって、記憶部５２のメモリ領域５２ａに記録された音声情報が音声情報入出力部４０ａを介して出力され、記憶部５２のメモリ領域５２ｂに記録された音声情報が音声情報入出力部４０ｂを介して出力される。
【００５３】
上記のような構成においては、まず、接続端子３５または音声情報入出力部４０ａを介してＢＧＭ等の背景音声となる音声情報が入力されると、制御部５１における制御によってこの音声情報が記憶部５２のメモリ領域５２ａに記録される。なお、接続端子３５を介して音声情報が入力される場合は、接続端子３５がケーブル等を介してパソコン等の周辺装置に接続され、この周辺装置から出力された音声情報が記憶部５２のメモリ領域５２ａに記録されることになる。また、音声情報入出力部４０ａを介して音声情報が入力される場合は、表面シート１０ａに設けられた録音ボタン３ｂを介してスイッチ３３ｂが操作された状態で音声情報入出力部４０ａに音声情報が入力されると、この音声情報が記憶部５２のメモリ領域５２ａに記録されることになる。
【００５４】
その後、表面シート１０ａに設けられた録音ボタン３ｂを介してスイッチ３３ｂが操作された状態で、記憶部５２のメモリ領域５２ａに記録された音声情報を背景音声として伝達したい声による音声情報が音声情報入出力部４０ｂを介して入力されると、制御部５１における制御によってこの音声情報が記憶部５２のメモリ領域５２ｂに記録される。
【００５５】
このようにして記憶部５２のメモリ領域５２ａ，５２ｂに音声情報がそれぞれ記録された後、表面シート１０ａに設けられた再生ボタン３ａを介してスイッチ３３ａが操作されると、制御部５１における制御によって、記憶部５２のメモリ領域５２ａに記録された音声情報が音声情報入出力部４０ａを介して出力されるととともに、メモリ領域５２ｂに記録された音声情報が音声情報入出力部４０ｂを介して出力される。
【００５６】
このように本形態においては、ＢＧＭ等の背景音声となる音声情報が入力された場合にこの音声情報が記憶部５２の１つのメモリ領域５２ａに記録され、その後、このＢＧＭ等を背景音声として伝達したい声による音声情報が入力された場合にこの音声情報が記憶部５２の他のメモリ領域５２ｂに記録され、メモリ領域５２ａ，５２ｂに音声情報がそれぞれ記録された後、記録部５２のメモリ領域５２ａに記録された音声情報が音声情報入出力部４０ａを介して出力されるとともに、記録部５２のメモリ領域５２ｂに記録された音声情報が音声情報入出力部４０ｂを介して出力されるので、ＢＧＭ等を背景音声として声による音声情報を伝達することができ、かつ、ＢＧＭ等の音声情報をメモリ領域５２ａにてそのまま記録しておくことができる。
【００５７】
また、第１及び第２の実施の形態に示した合成処理部５３は、専用ＩＣチップまたは別途専用回路が必要となる場合があり、それにより回路部が肥大してしまうが、本形態においては、合成処理部を必要としないため、よりコンパクトに設計しやすく、薄型に加え小型化を図ることができ、薄型兼小型の音声合成音声メッセージ伝達シートを作成することができる。
【００５８】
なお、本形態において、音声メッセージ伝達シート１を二つ折りに構成し、２つの情報入出力部４０ａ，４０ｂを互いに異なる片に設けることが考えられる。その場合、音声メッセージ伝達シート１を見開いた状態で机上に置いた場合に、全面が机上に接する片にＢＧＭ等の背景音声となる音声情報が出力される情報入出力部４０ａを設け、また、二つ折りに構成されることにより見開いた状態で机上に一辺のみが接する片に声による音声情報が出力される情報入出力部４０ｂを設けておけば、机上に接することにより音声情報が聞こえにくくなる片から背景となる音声情報が出力され、机上に一辺のみしか接していないことにより音声情報が聞きやすくなる片から声による音声情報が出力されることになり、背景となる音声情報を聞きながらも声による音声情報を明確に聞くことができる。
【００５９】
また、本形態においては、記憶部５２に２つのメモリ領域５２ａ，５２ｂを設け、２種類の音声情報を個別に記録しておき、また、２つの情報入出力部４０ａ，４０ｂを設けておき、再生時にメモリ領域５２ａ，５２ｂに記録された２種類の音声情報を情報入出力部４０ａ，４０ｂを介して同時に出力する場合を例に挙げて説明したが、記憶部５２に３つ以上のメモリ領域を設け、そのメモリ領域のそれぞれに異なる音声情報を記録しておき、また、３つ以上の情報入出力部を設けておき、再生時にメモリ領域にそれぞれ記録された音声情報を同時に出力することも考えられる。
【００６０】
なお、上述した４つの実施の形態において、先に記憶部５２に記憶されたＢＧＭ等の音声情報を背景音声として伝達したい声による音声情報を音声情報入出力部４０，４０ａ，４０ｂを介して入力する際に、記憶部５２に記録されたＢＧＭ等の音声情報を音声情報入出力部４０，４０ａ，４０ｂを介して出力することも考えられる。
【図面の簡単な説明】
【００６１】
【図１】本発明の音声メッセージ伝達シートの実施の一形態を示す図であり、（ａ）は表面から見た図、（ｂ）は内部構造を示す図、（ｃ）は（ａ）に示したＡ−Ａ’断面図である。
【図２】図１に示した音声メッセージ伝達シートの積層状態を示す図である。
【図３】図１及び図２に示した支持シートと音声情報記録／再生部とを積層した状態を示す図である。
【図４】図１に示した音声メッセージ伝達シートに対する音声情報の記録、再生処理の第１の実施の形態を実現するための構成を示すブロック図である。
【図５】図１に示した音声メッセージ伝達シートに対する音声情報の記録、再生処理の第２の実施の形態を実現するための構成を示すブロック図である。
【図６】図１に示した音声メッセージ伝達シートに対する音声情報の記録、再生処理の第３の実施の形態を実現するための構成を示すブロック図である。
【図７】図１に示した音声メッセージ伝達シートに対する音声情報の記録、再生処理の第４の実施の形態を実現するための構成を示すブロック図である。
【符号の説明】
【００６２】
１    音声メッセージ伝達シート
２    情報表示領域
３ａ    再生ボタン
３ｂ    録音ボタン
４    音声入出力領域
１０ａ，１０ｂ    表面シート
２０ａ，２０ｂ    支持シート
２１ａ，２１ｂ，２２，２３，２４ａ，２４ｂ    穴
３０    音声情報記録／再生部
３１    ペーパー電池
３２    音声基板
３３ａ，３３ｂ    スイッチ
３４    ＩＣチップ
３５    接続端子
４０，４０ａ，４０ｂ    音声情報入出力部
５１    制御部
５２    記憶部
５２ａ，５２ｂ    メモリ領域
５３    合成処理部
【図１】
2006137033.tif 000003
【図２】
2006137033.tif 000004
【図３】
2006137033.tif 000005
【図４】
2006137033.tif 000006
【図５】
2006137033.tif 000007
【図６】
2006137033.tif 000008
【図７】
2006137033.tif 000009